(57)【要約】【課題】  一つの室内機にモジュール化された複数の室内ユニットを設置することで、必要な冷暖房能力に応じた個別運転および全体運転が可能になってエネルギーを節約できる空気調和機の運転制御方法を提供する。また、天井に埋め込まれてない形態にモジュール化された新しい室内機構造を設けることで、容易に設置および管理できる空気調和機を提供する。【解決手段】  室内機にモジュール化された複数の室内と、前記複数の室内ユニットに形成された複数の吐出口と、運転状態に応じて前記複数の室内ユニットおよび吐出口の動作を制御する制御部とを含んで空気調和機を構成する。【選択図】      図５
2006145192.tif 000002
【特許請求の範囲】
【請求項１】
室内機にモジュール化された複数の室内ユニットと、
前記複数の室内ユニットに形成された複数の吐出口と、
運転状態に応じて前記複数の室内ユニットおよび吐出口の動作を制御する制御部とを含むことを特徴とする空気調和機。
【請求項２】
前記複数の室内ユニットは、
各室内ユニットごとに室内熱交換器、室内ファン、室内ファン駆動部、前記室内熱交換器に流れる冷媒の流量を調節する冷媒調節バルブを含むことを特徴とする請求項１記載の空気調和機。
【請求項３】
前記制御部は、運転する室内ユニットに冷媒を流入するために前記冷媒調節バルブを制御することを特徴とする請求項２記載の空気調和機。
【請求項４】
室内機にモジュール化された第１及び第２室内ユニットと、
前記第１及び第２室内ユニットにそれぞれ形成された第１及び第２吐出口と、
前記第１及び第２室内ユニットに流入される冷媒の流量をそれぞれ調節する第１及び第２冷媒調節バルブとを含むことを特徴とする空気調和機。
【請求項５】
前記第１及び第２室内ユニットは、個別運転および同時運転を選択的に行うことを特徴とする請求項４記載の空気調和機。
【請求項６】
前記第１及び第２吐出口は、
前記第１及び第２吐出口を通して吐出される空気の方向を調節する第１及び第２ブレードと、
前記第１及び第２ブレードの角度をそれぞれ制御する第１及び第２ブレード駆動部とを含むことを特徴とする請求項４記載の空気調和機。
【請求項７】
前記第１及び第２冷媒調節バルブは、前記第１及び第２室内ユニットのうち運転している側の冷媒調節バルブのみが開放されるように制御されることを特徴とする請求項５記載の空気調和機。
【請求項８】
前記空気調和機は、天井型空気調和機であることを特徴とする請求項１または請求項４記載の空気調和機。
【請求項９】
少なくとも一つ以上の圧縮機により熱交換された空気を室内機にモジュール化された複数の室内ユニットを通して吐出する空気調和機の運転制御方法であって、
節電運転モードであるかどうかを判断し、
節電運転モードである場合、前記複数の室内ユニットのうちいずれか一つの室内ユニットのみを選択して運転することを特徴とする空気調和機の運転制御方法。
【請求項１０】
前記選択された室内ユニット側の冷媒調節バルブを開放することで、前記選択された室内ユニットのみに冷媒が流れるように制御することを特徴とする請求項9記載の空気調和機の運転制御方法。
【請求項１１】
前記選択された室内ユニット側の吐出口に空気が吐出されるように制御することを特徴とする請求項９記載の空気調和機の運転制御方法。
【請求項１２】
少なくとも一つ以上の圧縮機により熱交換された空気を室内機にモジュール化された複数の室内ユニットを通して吐出する空気調和機の運転制御方法であって、
空調運転の開始後、室内温度が設定温度に到達した場合、前記複数の室内ユニットのうちいずれか一つの室内ユニットのみを選択して運転することを特徴とする空気調和機の運転制御方法。
【請求項１３】
運転停止された室内ユニット側の冷媒調節バルブを閉鎖することで、前記運転停止された室内ユニットへの冷媒流入が遮断されるように制御することを特徴とする請求項１２記載の空気調和機の運転制御方法。
【請求項１４】
前記空気調和機は、天井型空気調和機であることを特徴とする請求項９または請求項１２記載の空気調和機の運転制御方法。
【発明の詳細な説明】
【技術分野】
【０００１】
本発明は、空気調和機及びその運転制御方法に関するもので、詳しくは、一つの室内機にモジュール化された複数の室内ユニットを備えた空気調和機及びその運転制御方法に関するものである。
【背景技術】
【０００２】
一般に、空気調和機は、設置形態によって壁掛け型、パッケージ型、天井型などの多種多様なものに区分され、特に、天井型空気調和機は、壁掛け型やパッケージ型の空気調和機と違い、天井に埋め込まれる形に設置されるために、室内空間の活用度が高められるというメリットがある。
【０００３】
このような天井型空気調和機は、日本特開平２００１−０１２７９０号に開示されている。同公報に開示された天井型空気調和機は、会議室のように長方形の場所に適する構造であって、天井パネルの中央部に形成された吸入口から吸い込まれた空気が、二つの室内熱交換器を通って吸入口の両側外周側に形成された二つの吐出口から吐出されながら室内を冷房または暖房するものである。
【０００４】
このように構成される天井型空気調和機は、二つの吐出口と室内ファン、二つの吐出口から吐出される空気の流れ方向を調節する風向調節翼などを有するが、これらは別途制御されず、同時に作動及び停止するように設計されている。すなわち、空気調和機の運転が開始されると、室内機１により室内ファン８ａ,８ｂの回転速度を制御することで風量が調節されるが、常に１００％運転するようになっている。
【０００５】
しかしながら、従来の空気調和機は、一体に設計された室内機の特性上、節電運転を行うか、または、冷房能力を減少して運転する場合、容量可変型圧縮機などにより圧縮機の運転能力を減少して運転するだけで、室内機の一部分のみを運転することはできないため、エネルギーの消費が大きいという問題点があった。
【０００６】
また、従来の天井型空気調和機は、大型ビルまたはアパートなどの施工やリモデリング時、建築構造に応じて設計すべきであるため、完工された事務室やアパートなどには設置しにくいという問題点があった。
【発明の開示】
【発明が解決しようとする課題】
【０００７】
本発明は、前記問題点を解決するためになされたもので、一つの室内機にモジュール化された複数の室内ユニットを設置することで、必要な冷暖房能力に応じた個別運転および全体運転が可能になってエネルギーを節約できる空気調和機の運転制御方法を提供することを目的とする。
【０００８】
また、天井に埋め込まれてない形態にモジュール化された新しい室内機構造を設けることで、容易に設置および管理できる空気調和機を提供することを目的とする。
【課題を解決するための手段】
【０００９】
前記目的を達成するために、本発明は、室内機にモジュール化された複数の室内ユニットと、前記複数の室内ユニットに形成された複数の吐出口と、運転状態に応じて前記複数の室内ユニットおよび吐出口の動作を制御する制御部とを含むことを特徴とする。
【００１０】
また、前記複数の室内ユニットは、各室内ユニットごとに室内熱交換器、室内ファン、室内ファン駆動部、前記室内熱交換器に流れる冷媒の流量を調節する冷媒調節バルブを含むことを特徴とする。
【００１１】
また、前記制御部は、運転する室内ユニットに冷媒を流入するために前記冷媒調節バルブを制御することを特徴とする。
【００１２】
また、室内機にモジュール化された第１及び第２室内ユニットと、これら第１及び第２室内ユニットにそれぞれ形成された第１及び第２吐出口と、前記第１及び第２室内ユニットに流入される冷媒の流量をそれぞれ調節する第１及び第２冷媒調節バルブとを含むことを特徴とする。
【００１３】
また、前記第１及び第２室内ユニットは、個別運転および同時運転を選択的に行うことを特徴とする。
【００１４】
また、前記第１及び第２吐出口は、前記第１及び第２吐出口を通して吐出される空気の方向を調節する第１及び第２ブレードと、これら第１及び第２ブレードの角度をそれぞれ制御する第１及び第２ブレード駆動部とを含むことを特徴とする。
【００１５】
また、前記第１及び第２冷媒調節バルブは、前記第１及び第２室内ユニットのうち運転している側の冷媒調節バルブのみが開放されるように制御されることを特徴とする。
【００１６】
また、前記空気調和機は、天井型空気調和機であることを特徴とする。
【００１７】
また、少なくとも一つ以上の圧縮機により熱交換された空気を室内機にモジュール化された複数の室内ユニットを通して吐出する空気調和機の運転制御方法であって、節電運転モードであるかどうかを判断し、節電運転モードである場合、前記複数の室内ユニットのうちいずれか一つの室内ユニットのみを選択して運転することを特徴とする。
【００１８】
また、前記選択された室内ユニット側の冷媒調節バルブを開放することで、前記選択された室内ユニットのみに冷媒が流れるように制御することを特徴とする。
【００１９】
また、前記選択された室内ユニット側の吐出口に空気が吐出されるように制御することを特徴とする。
【００２０】
また、少なくとも一つ以上の圧縮機により熱交換された空気を室内機にモジュール化された複数の室内ユニットを通して吐出する空気調和機の運転制御方法であって、空調運転の開始後、室内温度が設定温度に到達した場合、前記複数の室内ユニットのうちいずれか一つの室内ユニットのみを選択して運転することを特徴とする。
【００２１】
また、運転停止された室内ユニット側の冷媒調節バルブを閉鎖することで、前記運転停止された室内ユニットへの冷媒流入が遮断されるように制御することを特徴とする。
【００２２】
また、前記空気調和機は、天井型空気調和機であることを特徴とする。
【発明の効果】
【００２３】
本発明による空気調和機の運転制御方法は、冷暖房負荷の変動や使用者の嗜好に応じて空調能力を可変することで、モジュール化された複数の室内ユニットが個別運転または同時運転されるように選択的に制御し、エネルギーを節約できるという効果がある。
【００２４】
また、天井に埋め込まれてない形態にモジュール化された新しい室内機構造を設けることで、モジュール化された複数台の室内ユニットを容易に連結または分離設置できるという効果がある。
【００２５】
また、既存の天井高の低いアパートには、壁掛け型の場合、配管が汚れており、スタンド型の場合、空間を多く占めるという短所があるが、本発明は、全体の高さが１５０mm程度に低い新しい構造であるため、居間およびベランダに通じる室内に設置する場合、美観を害することなく、空間を占めることもないという効果がある。
【発明を実施するための最良の形態】
【００２６】
以下、本発明による空気調和機の一実施形態を、図面に基づいて説明する。
【００２７】
図１は、本発明による天井型空気調和機の室内機の設置構造図であり、モジュール化された二つの室内ユニット１０ａ,１０ｂを連結して天井に設置した構造であり、図2は、図1の天井型空気調和機を示した断面図である。
【００２８】
各室内ユニット１０ａ,１０ｂには、室内空気を吸入するための吸入口１２ａ,１２ｂが下面および後面に形成され、吸入口１２ａ,１２ｂを通して吸入された空気を再び室内に吐出するための吐出口１４ａ,１４ｂが前面に形成される。
【００２９】
吐出口１４ａ,１４ｂには、これら吐出口１４ａ,１４ｂを開閉するとともに、吐出される空気の方向を調節するブレード１６ａ,１６ｂが設置されるが、これらブレード１６ａ,１６ｂは、回動区間(例えば、０゜から７０゜の範囲)における分散角度(default  angle)の変化に応じて吐出口１４ａ,１４ｂを通して吐出される空気の方向を調節し、その分散角度の位置に応じて各吐出口１４ａ,１４ｂを開閉する。
【００３０】
室内ユニット１０ａ,１０ｂの内部には、吸入口１２ａ,１２ｂを通して吸入される室内空気を冷媒の蒸発潜熱により冷風または温風に熱交換する室内熱交換器１８ａ,１８ｂと、これら室内熱交換器１８ａ,１８ｂで熱交換された空気を送風する室内ファン２０ａ,２０ｂと、が設置される。
【００３１】
また、図３に示すように、本発明による天井型空気調和機は、通常の冷媒サイクルを形成する室外機５０と、この室外機５０に連結されて室内の冷暖房を行う室内機１０と、から構成されており、室内機１０と室外機５０との間には、冷媒配管が設置され、室内機１０は、モジュール化された複数の室内ユニット１０ａ,１０ｂを備える。
【００３２】
室外機５０は、冷媒を高温高圧の気体状態に圧縮する複数(例えば、二つ)の圧縮機ＡおよびＢ５２ａ,５２ｂと、これら圧縮機ＡおよびＢ５２ａ,５２ｂで圧縮された高温高圧の気体冷媒の流れ方向を運転モード(冷房または暖房)に応じて調節する四方バルブ５４と、圧縮機ＡおよびＢ５２ａ,５２ｂで圧縮された高温高圧の気体冷媒を受けて室外空気と熱交換する室外熱交換器５６と、この室外熱交換器５６で熱交換を行うために室外ファンモータ６０により室外空気を強制送風する室外ファン５８と、冷媒流量を調節しながら熱交換された冷媒を減圧膨脹する電子膨脹弁６２と、圧縮機５２ａ,５２ｂに流入される冷媒を完全に気体状態のガスに変換するアキュムレータ６４とを含む。
【００３３】
本発明では、容量が同一の二つ(５０％、５０％)の圧縮機ＡおよびＢ５２ａ,５２ｂが用いられているが、これに限定されることなく、容量が相異なる二つの圧縮機、または一つの圧縮機も用いられる。
【００３４】
一方、室内機１０は、図1及び図2に基づいて説明したこと以外に、室内ユニット１０ａ,１０ｂに各室内ファン２０ａ,２０ｂを回転する第１及び第２室内ファンモータ２２ａ,２２ｂを含む。また、室内熱交換器２０ａ,２０ｂには、室内熱交換器２０ａ,２０ｂに流れる冷媒の流量を調節する冷媒調節バルブ２６ａ,２６ｂと、冷媒を減圧膨脹する毛細管２４ａ,２４ｂとが設置される。
【００３５】
このように構成された室内機１０および室外機５０を備えた天井型空気調和機が冷暖房を兼用する場合、冷房時は、図３に示した実線の矢印方向に沿って、圧縮機ＡおよびＢ５２ａ,５２ｂにより高温高圧に圧縮された冷媒が、冷房運転モードに応じて連結位置の切り換えられた四方バルブ５４を経て室外熱交換器５６に流入される。次いで、室外熱交換器５６では、高温高圧の冷媒を常温高圧の液体状態に凝縮し、常温高圧の液体冷媒は、毛細管２４ａ,２４ｂを経て減圧膨脹されることで第１及び第２室内熱交換器１８ａ,１８ｂに流入される。次いで、第１及び第２室内熱交換器１８ａ,１８ｂでは、室内空気から熱を奪って液体状態の冷媒を気体状態に蒸発した後、圧縮機ＡおよびＢ５２ａ,５２ｂに伝達する冷房サイクルを行う。
【００３６】
その反面、暖房時は、図3に示した点線の矢印方向に沿って循環される冷媒サイクルを形成する。
【００３７】
前記のような冷媒サイクルを形成する冷暖房兼用の天井型空気調和機において、一つの室内機１０の内部に設置された二つの室内ユニット１０ａ,１０ｂを個別または同時運転するために、使用者所望の運転モード(個別冷房、同時冷房、個別暖房など)および設定温度を入力した後、運転キーをオンにすると、室内ファン２０ａ,２０ｂが選択的に回転することで、室内空気は、吸入口１２ａ,１２ｂを通して室内ユニット１０ａ,１０ｂ内に吸入される。
【００３８】
次いで、吸入口１２ａ,１２ｂを通して吸入される室内空気の温度と設定温度とを比較し、室内温度と設定温度との差によって圧縮機５２ａ,５２ｂを制御して冷暖房機能を行う。
【００３９】
図４は、本発明の一実施形態による空気調和機の構成要素を示したブロック図であり、図示したように、本発明の一実施形態による空気調和機は、キー入力部１００、室内温度感知部１１０、マイコン１２０、圧縮機駆動部１３０、室外ファン駆動部１４０、室内ファン駆動部１５０、バルブ駆動部１６０、ブレード駆動部１７０及びディスプレイ部１８０を含んでいる。
【００４０】
キー入力部１００は、使用者が選択する運転モード(個別運転、同時運転など)、設定温度Ｔｓ、設定風量などの運転情報を入力するための操作部などにより構成され、室内温度感知部１１０は、各室内ユニット１０ａ,１０ｂに吸入される室内空気の温度Ｔｒを感知する。
【００４１】
一方、個別運転は、圧縮機Ａ５２ａまたは圧縮機Ｂ５２ｂを選択的に駆動して二つの室内ユニット１０ａ,１０ｂのうちいずれか一つを個別的に駆動することであり、５０％の運転容量に設定され、同時運転は、圧縮機ＡおよびＢ５２ａ,５２ｂを全て駆動して二つの室内ユニット１０ａ,１０ｂを同時駆動することであり、１００％の運転容量に設定される。
【００４２】
マイコン１２０は、個別運転または同時運転の選択に応じて運転容量(冷房容量)を調節して圧縮機ＡおよびＢ５２ａ,５２ｂの駆動を選択的に制御するものであって、室内機１０マイコンまたは室外機５０マイコンを含み、節電運転時は、二つの室内ユニット１０ａ,１０ｂのうちいずれか一つを選択して一方のみを運転するように制御する。
【００４３】
また、同時運転時、マイコン１２０は、各室内ユニット１０ａ,１０ｂに設置されたブレード１６ａ,１６ｂを制御して吐出口１４ａ,１４ｂを通して吐出される空気の方向を同一にまたは相異なるように調節し、室内温度が設定温度に到達すると、現在の温度を維持できる最小限の節電モードで二つの室内ユニット１０ａ,１０ｂのうち一方のみを運転するように制御する。
【００４４】
圧縮機駆動部１３０は、マイコン１２０の圧縮機制御信号によって圧縮機ＡおよびＢ５２ａ,５２ｂの駆動をそれぞれ制御し、室外ファン駆動部１４０は、マイコン１２０の室外ファン制御信号によって室外ファン５８の駆動を制御する。
【００４５】
室内ファン駆動部１５０は、マイコン１２０の室内ファン制御信号によって室内ファン２０ａ,２０ｂの駆動を制御し、バルブ駆動部１６０は、キー入力部１００から入力された運転モード(個別/同時、冷房/暖房)に応じて冷媒調節バルブ２６ａ,２６ｂ、四方バルブ５４および電子膨脹弁６２を制御する。
【００４６】
ブレード駆動部１７０は、キー入力部１００から入力された運転モード(個別、同時運転)に応じて吐出口１４ａ,１４ｂを選択的に開閉するとともに、選択的に開放された各吐出口１４ａ,１４ｂを通して吐出される空気の方向を調節するために、マイコン１２０のブレード制御信号によってブレード１６ａ,１６ｂを回動する駆動モータである。
【００４７】
ディスプレイ部１８０は、マイコン１２０の表示制御信号によって空気調和機の運転状態およびエラーモードなどを表示する。
【００４８】
以下、天井型空気調和機の運転制御方法を図5に基づいて説明する。
【００４９】
まず、使用者が選択する運転モード(例えば、同時冷房)、設定温度Ｔｓ、設定風量などの運転情報は、キー入力部１００を通してマイコン１２０に入力される(Ｓ１００)。
【００５０】
次いで、マイコンは、キー入力部を通して入力された運転モードが節電運転モードであるかどうかを判断する(Ｓ１１０)。
【００５１】
その判断結果、節電運転モードでない場合、マイコン１２０によりブレード駆動部１７０を制御してブレード１６ａ,１６ｂを回動することで、両側の吐出口１４ａ,１４ｂが全て開放される(Ｓ１２０)。
【００５２】
次いで、キー入力部１００から入力された設定風量で各室内ユニット１０ａ,１０ｂに設置された室内ファン２０ａ,２０ｂが駆動され、圧縮機ＡおよびＢ５２ａ,５２ｂの全てが駆動を開始することで空気調和機の運転が開始される。このとき、室内ユニット１０ａ,１０ｂの全てが運転されるので、マイコン１２０は、バルブ駆動部１６０を制御して冷媒調節バルブ２６ａ,２６ｂの全てを開放する。次いで、この開放された冷媒調節バルブ２６ａ,２６ｂを通して冷媒が各室内ユニット１０ａ,１０ｂの室内熱交換器２０ａ,２０ｂに流入されることで、冷房運転が複数の室内ユニット１０ａ,１０ｂで同時に行われる(Ｓ１３０、Ｓ１４０)。
【００５３】
このように、複数の室内ユニット１０ａ，１０ｂで冷房運転が始まると、室内ユニット１０ａ，１０ｂ内に吸い込まれる室内空気の温度(Ｔｒ)を、室内温度感知部１１０で感知してマイコン１２０に出力し、マイコン１２０は、室内温度感知部１１０から入力する室内温度(Ｔｒ)を設定温度(Ｔｓ)と比較し、該室内温度(Ｔｒ)が設定温度(Ｔｓ)に到達したか否か判断する。(Ｓ１５０)。室内温度(Ｔｒ)が設定温度(Ｔｓ)に到達しかなった場合には、複数の室内ユニット１０ａ，１０ｂで続けて冷房運転を遂行する。
【００５４】
一方、室内温度(Ｔｒ)が設定温度(Ｔｓ)に到達した場合には、室内が充分に冷房されたと見なし、室内温度(Ｔｒ)を維持しうるような節電運転モードに入る。一方、１１０段階において、マイコン１２０により使用者が選択した運転モードが節電運転モードであると判断した場合も、節電運転モードで進入して冷房運転を行う。
【００５５】
次いで、節電運転モードに進入すると、まず、マイコン１２０は、複数の室内ユニット１０ａ,１０ｂのうち運転を持続するいずれか一つの室内ユニット１０ａまたは１０ｂを選択する。次いで、いずれか一つの室内ユニット(ここで、１０ａと仮定する)が選択された場合、バルブ駆動部１６０を制御して選択された室内ユニット１０ａ側の冷媒調節バルブ２６ａは開放し、選択されない室内ユニット１０ｂ側の冷媒調節バルブ２６ｂは閉鎖する。次いで、選択された室内ユニット１０ａ側の室内ファンモータ２２ａを駆動して室内ファン２０ａを回転することで、室内ユニット１０ａを駆動する(Ｓ１６０)。
【００５６】
次いで、圧縮機駆動部１３０を制御し、複数の圧縮機ＡおよびＢ５２ａ,５２ｂのうちいずれか一つのみを選択的に駆動して運転容量を５０％に制御する節電運転を行う(Ｓ１７０)。
【００５７】
次いで、ブレード駆動部１７０を制御し、選択された室内ユニット１０ａ側のブレード１６ａを回動して一方の吐出口１４ａのみを開放する(Ｓ１８０)。このような状態で冷房運転をすることで、室内温度Ｔｒが維持される節電運転モードを行うようになる。
【００５８】
上述したように、一つの室内機１０に個別的に制御可能な複数の室内ユニット１０ａ,１０ｂをモジュール化することで、同時運転および個別運転を選択的に行うようになる。
【００５９】
本発明では、二つの室内ユニット１０ａ，１０ｂを連結設置した例について説明したが、本発明は、これに限定されず、二つの室内ユニット１０ａ，１０ｂを一定距離だけ離れるように設置することも可能である。
【００６０】
また、本発明では、天井型空気調和機の例に上げて説明したが、これに限定されることなくパッケージ型または壁掛け型の空気調和機にも適用可能であり、本発明の図面に例示した天井型空気調和機とは異なる形態の天井型空気調和機にも適用可能であることは言うまでもない。
【００６１】
上記の説明は、本発明による空気調和機の運転制御方法を実施するための一実施の形態に過ぎず、本発明は、上述の実施形態に限定されず、本発明の技術思想の範囲内で、当分野で通常の知識を持つ者によって各種の変形が可能であることは明らかである。
【図面の簡単な説明】
【００６２】
【図１】本発明の一実施形態による天井型空気調和機の室内機の設置構造図である。
【図２】図１の天井型空気調和機を示した断面図である。
【図３】本発明の一実施形態による天井型空気調和機の冷媒流路図である。
【図４】本発明の一実施形態による天井型空気調和機の構成要素を示したブロック図である。
【図５】本発明の一実施形態による天井型空気調和機の運転制御方法を示したフローチャートである。
【符号の説明】
【００６３】
１０    室内機
１０ａ、１０ｂ  室内ユニット
１２ａ、１２ｂ  吸入口
１４ａ、１４ｂ  吐出口
１６ａ、１６ｂ  ブレード
２０ａ  第１室内ファン
２０ｂ  第２室内ファン
５８    室外ファン
１００  キー入力部
１１０  室内温度感知部
１２０  マイコン
１３０  圧縮機駆動部
１４０  室外ファン駆動部
１５０  室内ファン駆動部
１６０  バルブ駆動部
１７０  ブレード駆動部
１８０  ディスプレイ部
【図１】
2006145192.tif 000003
【図２】
2006145192.tif 000004
【図３】
2006145192.tif 000005
【図４】
2006145192.tif 000006
【図５】
2006145192.tif 000007